(57)【特許請求の範囲】
【請求項１】
地上に所定の間隔を保って形成した複数箇所の基礎にそれぞれ支柱を樹立させ、その内側に屋根体を昇降自在に収容し、この屋根体の外側部より支柱に向かって突出させた連結金具を、支柱の上部に着脱自在に連結してなる日除け用建物において、下降させた屋根体の連結金具と基礎とを支持金具により着脱自在に連結し、基礎上には受け金具を設け、この受け金具に支柱の下端を、隣りの支柱の方向に伏倒し得るように連結し、且つ伏倒した支柱の下端面と受け金具とをＬ型の止め金具により連結したことを特徴とする日除け用建物。
【発明の詳細な説明】
【０００１】
【発明の属する技術分野】
本発明は、河川敷とか公園に設置し、日除けとして使用する四阿風の日除け用建物に関するものである。
【０００２】
【従来の技術】
公園には、地上に所定の間隔を保って樹立した４本の支柱の上端に、屋根とかパーゴラの内側を固定し、その軒先を支柱の外側に突出させた所謂四阿風の日除け用建物が設置されている。この種の日除け用建物を、公共的広場として利用されている河川敷にも設置して欲しいとの各方面からの強い要望があった。しかしながら、河川敷に設置できるものは、増水時にその流れを妨げないように、地盤面より１ｍ以下のものであって、撤去可能な構造物に限られているため、普通の日除け用建物の設置は不可能であった。
【０００３】
上記河川敷における構造物の条件を満たす方法として、公園に設置されている四阿風の日除け用建物の４本の支柱を同一方向に伏倒し得るように構成し、支柱の上端に屋根とかパーゴラを、支柱の伏倒に伴ってその上に折り重なるように連結した伏倒式の建物を考えた。
【０００４】
しかし、重量物である建物を横倒しにすることは危険であり、風雨の激しい悪天候のときは、極めて困難な作業である。また、屋根付きの建物とパーゴラ付きの建物を連結しようとする場合は支柱の本数が多くなり、しかも横倒し、引起しに手間が係る欠点がある。
【０００５】
【発明が解決しようとする課題】
このようなことから、本発明は増水のおそれのあるとき、屋根体を規定された高さより低い位置まで下降させ、支柱を伏倒させることができる日除け用建物を提供しようとするものである。
【０００６】
【課題を解決するための手段】
上記課題を達成するために、本発明の請求項１記載の日除け用建物は、地上に所定の間隔を保って形成した複数箇所の基礎にそれぞれ支柱を樹立させ、その内側に屋根体を昇降自在に収容し、この屋根体の外側部より支柱に向かって突出させた連結金具を、支柱の上部に着脱自在に連結してなる日除け用建物において、下降させた屋根体の連結金具と基礎とを支持金具により着脱自在に連結し、基礎上には受け金具を設け、この受け金具に支柱の下端を、隣りの支柱の方向に伏倒し得るように連結し、且つ伏倒した支柱の下端面と受け金具とをＬ型の止め金具により連結したことを特徴としている。
【０００７】
複数本の支柱を河川敷や公園の地上に樹立させた後、支柱の内側の上部に屋根体の外側部を連結金具で連結することにより、四阿風の建造物が構築される。この構築状態において、連結金具を支柱から外して支柱と屋根体とを分離した後、適宜の昇降装置により屋根体を下降させ、各支柱を地上に横倒しにすれば、建物全体が地上に伏倒状態となる。また、この日除け用建物にあっては、屋根体の外側と支柱の内側とは、連結金具により間隔を保って連結しているため、その連結を解き、連結金具を屋根体の下側に後退させるときは、屋根体と支柱との間には大きな間隙を生ずるから、屋根体の下降、及び上昇を無理なく容易に行うことができる。しかも、この日除け用建物にあっては、下降させた屋根体の連結金具と基礎とを支持金具により連結し、伏倒させた支柱の下端面と受け金具とをＬ型の止め金具により連結することにより、河川の激流により流れて来た石や流木が屋根体及び支柱に衝突しても基礎から外れて流されたり破損したりするのを防止するものである。
【０００８】
【発明の実施の形態】
以下、本発明を図示した実施の形態に基づいて説明する。図中の符号Ａは四阿風の日除け用建物であり、地盤１上に一定の間隔を保って形成した４個の基礎２上に４本の支柱３を、互いに時計方向に伏倒し得るように樹立させ、その内側に屋根体４を昇降自在に配設し、この屋根体４の外側部と支柱３の上部とを連結金具５により着脱自在に連結している。上記支柱３の伏倒方向は自由であるが、下降させた屋根体４の外周に添うように、時計方向又は反時計方向に伏倒させるのが好ましい。
【０００９】
上記日除け用建物における支柱の起伏手段、及び支柱と屋根体との連結手段を更に詳述する。地盤１上に形成した各基礎２には受け金具６を固定している。この受け金具６は、図９〜図１２に示すように、基礎２の上面に固定した基板７と、この基板７上に支柱３の太さに相当する空間Ｓを保って突設した一対の挟持板８とよりなり、この一対の挟持板８の空間Ｓが、時計方向に位置する隣りの受け金具６の方向に開口するように、受け金具６を基礎２に固定している。
【００１０】
上記受け金具６の一対の挟持板８内に支柱３の下端を挿入し、挟持板８に穿設した透孔９と支柱３に穿設した透孔１０とにボルト１１を挿入し、その先端にナット１２を螺合している。また、一対の挟持板８の一側下端を連結した連結板１３と、支柱３の下部壁面とを蝶番１４により連結し、支柱３の反対側の下端より外方へ水平に突設した取付け板１５の透孔１６にネジ１７を挿入し、その先端を基板７に螺合している。
【００１１】
基礎２上に樹立させた４本の支柱３の内側には、図３、図４に示すように、各支柱により構成される方形のエリアより小さな方形の屋根体４を昇降自在に配設している。この屋根体４の四隅から支柱３に向かって突設した連結金具５と支柱３の上部を着脱自在に連結している。
【００１２】
上記連結金具５は、図１３、図１４及び図１５〜図１７に示すように、屋根体４における桁１８にボルト１９と２０により取付け、先端に設けた縦片２１を支柱３の内側に突設した筒状の保持金具２２にボルト２３により連結している。また、連結金具５には、屋根体４の内側に後退し得るように長孔２４を形成し、この長孔２４に前記ボルト２０を貫通させている。
【００１３】
上記屋根体４を下降させたときは、屋根体４の連結金具５と基礎２とを連結するために、図１８〜図２０に示す支持金具２５を使用する。この支持金具２５は基礎２に固定するための取付け孔２６を設け、先端には連結金具５の縦片２１と重ね合わせてボルト２７により固定するための縦片２８を設けている。
【００１４】
屋根体４を下降させた後、各支柱３を伏倒させる場合は、支柱３と受け金具６とを連結したボルト１１を離脱し、蝶番１４を軸として隣の受け金具６の方向に順次倒し、支柱３の下端に突設した取付け板１５と受け金具６とを図２１に示すＬ型の止め金具２９により図１１、図１２のように連結する。
【００１５】
また、伏倒した支柱３の先端部には、図２２に示す止め金具３０により、図２、図７、図８に示すように屋根体４に連結し、上記Ｌ型の止め金具２９とともに、支柱３の流水や風による揺動を防止する。この止め金具３０は、屋根体４の桁１８に穿設した透孔３１に合致する透孔３２を有し、下端に支柱３に嵌合する二股状の挟持部３３を設けている。
【００１６】
また、屋根体４を下降させる場合は、昇降装置Ｂを使用する。この昇降装置Ｂは図５、図６及び図２３、図２４に示すように、屋根体４における対角線上に対向する２本の支柱３の上端に吊り上げポール３４を連結し、これにチェーンブロック３５を吊り下げ、チェーン３６の下端に屋根体４の外側部に係止させる二股状の吊り金具３７を設けている。
【００１７】
上記昇降装置Ｂを装着する２本の支柱３に対し、他の２本の支柱３と、この支柱３に対向する屋根体４の外側部との連結には、振れ止め金具Ｃを使用する。この振れ止め金具Ｃは、図２５、図２６に示すように、掛け渡し杆３８の中間部に支柱３の外側面を転動する一対のローラー３９を設け、両端にはターンバックル４０と屋根体４への連結用ボルト４１を設けている。
【００１８】
本発明の実施の形態は上記のように構成されているので、図１、図３、図４に示す起立状態において、図５、図６に示すように、対角線上に相対する２本の支柱３の上端に昇降装置Ｂを装着し、その吊り金具３７の下端に設けたシャックル４２を、屋根体４における桁１８の透孔３１に取付けるアイボルト４３に連結した後、連結金具５と保持金具２２を連結したボルト２３を離脱して屋根体４を支柱３から分離するとともに、ボルト１９を離脱し、ボルト２０を緩めて連結金具５を屋根体４の下側に後退させる。
【００１９】
他の２本の支柱３に掛け渡した振れ止め金具Ｃの両端の連結用ボルト４１により桁１８の透孔３１に取付け、ターンバックル３６を調節してローラー３５を支柱３の外側面に当接させた後、チェーンブロック３５により屋根体４を下降させると、振れ止め金具Ｃのローラー３９が支柱３の外側面を転動し、屋根体４は揺動することなく、水平状態を保って下降する。
【００２０】
下降した屋根体４から昇降装置Ｂ、及び振れ止め金具Ｃを離脱した後、図２、図７、図８に示すように、屋根体４の外側部より突出している連結金具５と桁１８とを、図１１に示すように、再びボルト２０により固定し、連結金具５の先端の縦片２１と、予め受け金具６の固定ボルト２７を利用して受け金具６上に固定した支持金具２５の縦片２８とを、前記ボルト２３を用いて締結し、屋根体４を基礎２に固定する。
【００２１】
次に、支柱３の下端を受け金具６の挟持板８に締結したボルト１１と、取付け板１５を受け金具６の基板７に固定したネジ１７を、それぞれ離脱した後、図１１、図１２に示すように、蝶番１４を軸として支柱３を屋根体４の外側に倒すと、支柱３の下端に横向きに突設した取付け板１５が縦向きになる。この取付け板１５と受け金具６とをＬ型の止め金具２９により連結し、桁１８からアイボルト４３を外し、開口した透孔３１を利用して止め金具３０を取付け、その下端の二股状の挟持部３３に支柱３の先端部を嵌合すれば、図２、図７、図８に示す伏倒状態となる。
【００２２】
上記伏倒状態において、止め金具２９及び３０を取外した後、蝶番１４を軸として支柱３を起立させ、ネジ１７により取付け板１５を基板７に固定し、ボルト１１により支柱３の下端を挟持板８に固定する。一方、連結金具５を支持金具２５から離脱し、対角線上の２本の支柱３と屋根体４の外側部とに、一旦外してあった振れ止め金具Ｃを掛け渡し、他の２本の支柱の上端に昇降装置Ｂを設置して屋根体４を吊り上げ、連結金具５と保持金具２２をボルト２３により固定すれば、図１、図３、図４に示す起立状態となる。
【００２３】
上記実施の形態における基礎２上への支柱３の起伏手段、支柱３と屋根体４との連結手段、更に屋根体４の昇降手段は一例であり、適宜に設計変更されるものである。例えば、基礎２上への支柱３の起伏手段としては、上記蝶番１４に代えて枢軸を使用しても良い。
【００２４】
支柱３と屋根体４との連結手段としては、保持金具２２を省略し、連結金具５の先端を支柱３に直接ボルト締めしても良く、屋根体４の昇降手段としては、クレーンにより屋根体４を吊り下げて昇降させても良い。また、支柱３の本数は、屋根体４のデザインにより増減される。尚、符号３８は付属品の収納を兼ねた腰掛けである。
【００２５】
このように構成された日除け用建物は、屋根体４が４本の支柱３内を昇降し得るように形成したから、支柱３との連結を解除することにより、簡単に下降することができ、しかも各支柱３は屋根の外周に沿って倒し、全体を１ｍ以下の高さに伏倒させることができるので、河川敷にも設置することができる。従って、河川敷に設置し、増水のおそれがあるときは、昇降装置Ｂにより、速やかに伏倒させることができ、また、振れ止め金具Ｃの使用により、風雨が激しい悪天候の場合であっても、屋根体４を揺動させることなく、スムーズに且つ安全性を保って下降させることができる。
【００２６】
更に、伏倒させた屋根体４を支持金具２５により基礎２に固定し、支柱３の下端を受け金具６とＬ型の止め金具２９により基礎２に固定し、更に、支柱３の先端部と屋根体４とを固定するときは、支柱３の上方への回動、揺動が阻止される。そのため河川の激流等の衝撃を受けても、基礎２に確実に保持されるのである。
【００２７】
上記実施の形態にあっては、屋根体４は金属板による一般的な屋根の場合であるが、ルーバータイプの場合もある。また、図２７、図２８に示すように、日除け用建物を接続することもある。例えば、左右に接続する場合は、図２９、図３０に示すように、支柱３の側壁に、接続面２２ａと接続面２２ｂを有する保持金具２２を突設し、これに左右の屋根体４の連結金具５を、それぞれ連結することにより、屋根体４とルーバータイプの屋根体４ａを接続する。前後に接続する場合も上記と同様である。
【００２８】
図２７〜図３０における符号１８ａは屋根体４ａの外枠である。また、符号４５は付属品の収納を兼ねたテーブル、４６は腰掛けである。このようにテーブル４５を設置するときは、屋根体４をその上側に支持する関係上、支持金具２５の縦片２８には長目のものを使用する。
【００２９】
【発明の効果】
以上、詳述したように本発明の請求項１の発明は、地上に起立した複数本の支柱と屋根体とよりなる四阿風の建物であるが、支柱から連結金具を離脱して屋根体を下降させ、支柱を倒すことにより、河川敷で許容されている構造物の高さ以下に伏倒させることができ、増水した水の流れの妨げとなるのを防止することができる。また、連結金具と支柱との連結を解き、連結金具を屋根体の下側に後退させて、屋根体と支柱との間隔を大きくするときは、屋根体を容易に昇降させることができる。しかも、下降させた屋根体の連結金具を、支持金具を介して基礎に連結し、倒した支柱の下端面をＬ型の止め金具を用いて基礎に固定するときは、屋根体及び各支柱は基礎に確実に固定されるから、河川の激流により流れて来た石や流木により、基礎から離脱して流されたり破損したりするのを防止することができる。
【図面の簡単な説明】
【図１】本発明に係る日除け用建物の斜視図である。
【図２】同上日除け用建物の伏倒状態を示す斜視図である。
【図３】同上日除け用建物の起立状態を示す正面図である。
【図４】同上平面図である。
【図５】同上日除け用建物において、屋根体を下降している状態を示す正面図である。
【図６】同上平面図である。
【図７】同上日除け用建物の伏倒状態を示す正面図である。
【図８】同上平面図である。
【図９】基礎上に支柱が樹立している状態を示す横断面図である。
【図１０】同上縦断面図である。
【図１１】基礎上に屋根及び支柱が伏倒している状態を示す平面図である。
【図１２】同上縦断面図である。
【図１３】屋根体と支柱との連結状態を示す横断面図である。
【図１４】同上正面図である。
【図１５】連結金具の平面図である。
【図１６】同上正面図である。
【図１７】同上側面図である。
【図１８】保持金具の平面図である。
【図１９】同上正面図である。
【図２０】同上側面図である。
【図２１】支柱の下端の止め金具を示す斜視図である。
【図２２】支柱の先端部の止め金具を示す斜視図である。
【図２３】吊り上げポールの平面図である。
【図２４】同上正面図である。
【図２５】振れ止め金具の正面図である。
【図２６】同上斜視図である。
【図２７】本発明に係る日除け用建物を並列に接続し場合の斜視図である。
【図２８】同上接続した日除け用建物の伏倒状態を示す斜視図である。
【図２９】同上接続した場合の屋根体と支柱との連結状態を示す横断面図である。
【図３０】同上連結状態の正面図である。
【符号の説明】
Ａ      日除け用建物
Ｂ      昇降装置
Ｃ      振れ止め金具
Ｓ      空  間
１      地  盤
２      基  礎
３      支  柱
４      屋根体
５      連結金具
６      受け金具
８      挟持板
１４    蝶  番
１５    取付け板
２２    保持金具
【図１】
0003585460.tif 000002
【図２】
0003585460.tif 000003
【図３】
0003585460.tif 000004
【図４】
0003585460.tif 000005
【図５】
0003585460.tif 000006
【図６】
0003585460.tif 000007
【図７】
0003585460.tif 000008
【図８】
0003585460.tif 000009
【図９】
0003585460.tif 000010
【図１０】
0003585460.tif 000011
【図１１】
0003585460.tif 000012
【図１２】
0003585460.tif 000013
【図１３】
0003585460.tif 000014
【図１４】
0003585460.tif 000015
【図１５】
0003585460.tif 000016
【図１６】
0003585460.tif 000017
【図１７】
0003585460.tif 000018
【図１８】
0003585460.tif 000019
【図１９】
0003585460.tif 000020
【図２０】
0003585460.tif 000021
【図２１】
0003585460.tif 000022
【図２２】
0003585460.tif 000023
【図２３】
0003585460.tif 000024
【図２４】
0003585460.tif 000025
【図２５】
0003585460.tif 000026
【図２６】
0003585460.tif 000027
【図２７】
0003585460.tif 000028
【図２８】
0003585460.tif 000029
【図２９】
0003585460.tif 000030
【図３０】
0003585460.tif 000031